(57)【要約】【課題】  従来、防草を意図しコンクリートブロックの略垂直な前面及び背面の下部に切り欠き棚を突出形成した構成がある。しかし切り欠き棚が、防草に有効な傾斜角度と長さを備えていないので、雑草の繁殖に対して十分な効果が期待できるものとは考えにくい。よって、その改良が望まれている。【構成】  本発明は、コンクリート構造物を構築する型枠で、型枠の長手方向の端面に下向き角度が略７０°となる傾斜辺を凸設又は凹設し、端面に下向き角度が略７０°となる傾斜辺の凸設又は凹設の長さを少なくとも５ｃｍ以上に形成し、下向き角度が略７０°となる傾斜辺を前記長手方向に連設して設ける防草等を意図した構造物用の型枠である。【選択図】          図１−２
2006052626.tif 000002
【特許請求の範囲】
【請求項１】
コンクリート構造物を構築する際に使用する型枠であって、
この型枠の長手方向の端面に下向き角度が略７０°となる傾斜辺を凸設又は凹設し、しかもこの端面に下向き角度が略７０°となる傾斜辺の凸設又は凹設の長さを少なくとも５ｃｍ以上に形成し、前記下向き角度が略７０°となる傾斜辺を前記長手方向に連設して設ける構成としたことを特徴とする防草等を意図した構造物用の型枠。
【請求項２】
請求項１に記載の端面に下向き角度が略７０°となる傾斜辺を、長手方向において高低又は異形形状にする構成としたことを特徴とする防草等を意図した構造物用の型枠。
【請求項３】
請求項１に記載の端面に下向き角度が略７０°となる傾斜辺を、型枠本体に取付け、取外し自在に設ける構成としたことを特徴とする防草等を意図した構造物用の型枠。
【請求項４】
請求項１〜３に記載の防草等を意図した構造物用の型枠利用の構造物であって、
この構造物は、防草等を意図した下向き角度が略７０°となる傾斜辺を利用し、防草凹部又は防草凸部を形成し、この構造物の隣に設けた他の構造物は、前記防草凸部又は防草凹部を形成し、この構造物の防草凹部又は防草凸部と、前記他の構造物の防草凸部又は防草凹部との間に経時的に隙間が発生しても防草効果が維持できる構造とした防草等を意図した型枠利用の構造物。
【請求項５】
各種のブロックの長手方向の少なくとも一方端面に下向き角度が略７０°となる傾斜辺を備えた当該ブロックの上面に達する凹部を設け、この凹部は金型の抜き勾配を備えてなり、またこの凹部の先端部及び／又は底部を面取り加工したことを特徴とする防草等を意図したブロック。
【請求項６】
各種のブロックの長手方向の少なくとも一方端面に下向き角度が略７０°となる傾斜辺を備えた当該ブロックの上面に達する凹部を複数個設け、この各凹部は金型の抜き勾配を備えてなり、またこの各凹部の先端部及び／又は底部を面取り加工したことを特徴とする防草等を意図したブロック。
【請求項７】
請求項６に記載の複数個の凹部を、ブロック上面の一方側及び／又は他方側にそれぞれ設けたことを特徴とする防草等を意図したブロック。
【請求項８】
請求項６に記載の複数個の凹部を、ブロック外周端面に繞設するとともに、当該ブロックの上面に達するよう構成したことを特徴とする防草等を意図したブロック。
【請求項９】
請求項６に記載の複数個の凹部の先端部に、防草用の突起を設けることを特徴とする防草等を意図したブロック。
【発明の詳細な説明】
【技術分野】
【０００１】
本発明は防草等を意図した構造物（構築物、建物、建屋等）用の型枠と、この型枠利用の構造物と、同様な効果を有する防草等を意図したブロックに関する。
【背景技術】
【０００２】
従来、例えば、道路においては、車道と歩道や、車道と中央分離帯等の間の境界を仕切るコンクリート製の境界ブロック、例えば、縁石（一方の構造物）が設置されている。このような道路は、養生、乾燥されたコンクリート製の境界ブロック側面（壁面）に、現場打ちコンクリートやアスファルト等の流動性の舗装材（他方の構造物）を打設し、その後の乾燥硬化により形成する。従って、経時的（経年）によりコンクリート等の舗装材（以下、コンクリートとする）が乾燥収縮し、この境界ブロック壁面とコンクリート壁面との境目（間）に垂直方向の隙間（目地）が発生する。この隙間が問題となるのは、この境界ブロック側面とコンクリートの下側に存在する土中の種子が経年により成長し、またこの隙間に飛来及び／又は雨水の流れとともに侵入した種子が経年により成長し、雑草となり易い。そのメカニズムを説明すると、前記隙間に入り込んだ種子が発芽し、光合成により成長し、この種子より発芽した芽は、その屈光性により上記の隙間を通じて上方へ延び（背地性）、また根は屈地性により逆に下方へ伸びて（向地性）成長し繁殖する。その生命力のたくましさは万人が認める処である。しかし、この雑草の繁殖を許すことは問題である。例えば、雑草による車輌の察知が遅れることによる各種の事故、交通障害、又は雑草による転倒、怪我等のアクシデントが考えられ、現実にこのような由々しき状況がある。従って、雑草の処理に難渋することは万人が認める処である。また、この芽及び／又は根は少なくとも略水平に伸びる。尚、ブロックには、前記境界ブロックの他に、水路ブロック、側溝用ブロック、又は土留め用ブロック、Ｌ字ブロック、ウオール壁等が含まれる。
【０００３】
また他の隙間が発生する場合は、次のような状況が考えられる。例えば、コンクリートの駆体（一方の構造物）と、打設コンクリート路面、同床面等（他方の構造物）とで形成される隙間においても同様な状況となる。さらにコンクリート相互間（一方・他方の構造物）の隙間（目地）、或いは各種の水路ブロック、側溝用ブロック、又は土留め用ブロック、Ｌ字ブロック、ウオール壁(フェンスブロック）等のコンクリート構造物（一方の構造物）と、打設コンクリート路面、同床面等（他方の構造物）との隙間においても同様な状況となる。そして、前述の隙間が発生する他の状況は、例えば、インターロッキングブロック、ブロック等の構造物相互間（一方・他方の構造物）の隙間が考えられる。
【０００４】
このような草の繁殖を防止する方法として、従来、次のような構造が知られている。文献（１）は、特開平８−１１３９０６号の「コンクリートブロックとコンクリート壁およびコンクリート壁の製造のための部材」である。この発明の図３〜図６に示した構造のコンクリートブロックとアスファルト又はコンクリート等の流動性の舗装材との間における防草であって、具体的には、コンクリートブロックの略垂直な前面及び背面の下部に切り欠き棚を突出形成し、この切り欠き棚を埋めるように密着させて舗装材を打設し、雑草の発生及び成長を物理的に遮断するよう構成した、切り欠き棚を利用する防草である。また文献(２)は、特開平１０−８２０１２号の「雑草防止型歩車道境界ブロック」である。この発明は、片面歩車道境界ブロックの歩道側の側面上端角部に、切り込みを設ける構成であり、歩車道境界ブロックの歩道側の側面上端角部と、歩道のアスファルト舗装とを密着させた接合部からの雑草の発生及び成長を、物理的に遮断することを意図する。その詳細は、［０００６］に記載されており、「歩道側の側面上端角部の切り込みに、歩道のアスファルト舗装の端部を重ね合わせて接合しておくだけで、接合部からの雑草の発生を防止する」内容である。
さらに文献（３）は、特開２００４−１６９５４４の「防草等を意図した構造物の構造と構造物と構造物の防草等の工法」である。この発明は、各図に示すように、防草用凹部の先端形態を、曲面周辺部を備えた迂回形態とし、根の成長及び施工前に残存していた根や芽の成長を確実に防止できる防草等を意図する。従って、構造物等に存在する目地があっても、防草凹部の形状を特定することで、芽の屈光性と、根の屈地性に基づく成長を自然に止め、阻害する機能を付与した防草等が図れる画期的な発明である。
【０００５】
【特許文献１】特開平８−１１３９０６号
【特許文献２】特開平１０−８２０１２号
【特許文献３】特開２００４−１６９５４４
【発明の開示】
【発明が解決しようとする課題】
【０００６】
前記文献（１）の発明は、前述の如く、コンクリートブロックの略垂直な前面及び背面の下部に切り欠き棚を突出形成した構成であるが、この切り欠き棚が、防草に有効な傾斜角度と長さを備えていないので、雑草の繁殖に対して十分な効果が期待できるものとは考えにくい。この発明は、明細書の［０００３］に記載の如く、雑草が生えることにより、より多くの雨水が入り込むことを回避することを意図し、コンクリートブロックの前面及び背面に貫通する排水孔を設けたことを特徴とする。しかし、この発明には、切り欠き棚に対する防草を図る構造が開示されていないことから、十分な防草効果を期待するには問題がある。
【０００７】
前記文献（２）の発明は、前述の如く、歩道側の側面上端角部の切り込みに、歩道のアスファルト舗装の端部を重ね合わせて接合し、接合部からの雑草の発生を防止する構造であるので、この接合部が経年変化で開放された場合、雑草が発生し問題である。その理由は、切り込みに対する防草を図る構造が示されていないのが原因と考えられる。
【０００８】
また文献（３）の発明は、前述の如く、防草凹部の形状を特定することで、芽の屈光性と、根の屈地性を阻害する機能を付与した防草等が図れる画期的な発明である。この発明で開示した防草用凹部の形状によっては、成形時の中子の取り扱いに苦慮する場合があり得る。従って、成形時に手間を要すること、またコスト高になること等の改良点が考えられる。そして、この発明は、境界ブロック等のブロック自体と、このブロックと構造物との関係に言及することから、活用されていない利用分野が挙げられる。
【０００９】
上記に鑑み本発明は、コンクリート構造物を構築する際に使用する型枠の長手方向の端面に下向き角度が略７０°となる少なくとも５ｃｍ以上の長さを有する傾斜辺を凸設又は凹設し、この型枠を利用し、前記略７０°となる少なくとも５ｃｍ以上の長さを有する傾斜辺を、打設コンクリートに凸設又は凹設するとともに、この凸設又は凹設した傾斜辺を隠蔽するように隣接打設コンクリートを構築し、この両コンクリートの接合面に、前記略７０°となる少なくとも５ｃｍ以上の長さを有する傾斜辺に相当する傾斜接合面を形成する。この傾斜接合面は、略７０°で少なくとも５ｃｍ以上の長さを有するため、飛来した種子の根（芽）の成長及び施工前に残存していた根、芽の成長を確実に防止できること、またこの傾斜接合面は、何れの構造もその先端形態を、曲面周辺部を備えた迂回形態とし、根の成長及び施工前に残存していた根や芽の成長を確実に防止できる防草等を意図した構造物用の型枠と、この型枠を利用した防草効果が図れる構造物（構築物、建物、建屋等）と、同様な効果を有する防草等を意図したブロックとを提供できる。
【００１０】
そして、また本発明が、最も特徴とすることは、構造物等に経時的に、目地が形成されても、略７０°となる少なくとも５ｃｍ以上の長さを有する傾斜辺に相当する傾斜接合面を形成することで、根の屈地性及び芽の屈光性に基づく成長を阻害する機能があり、この機能を利用した画期的な防草等を意図した型枠と、構造物と、同様な効果を有する防草等を意図したブロックとを提供できる。
【課題を解決するための手段】
【００１１】
請求項１の発明は、コンクリート構造物を構築する際に使用する型枠の長手方向の端面に下向き角度が略７０°となる少なくとも５ｃｍ以上の長さを有する傾斜辺を凸設又は凹設し、この型枠を利用し、前記略７０°となる少なくとも５ｃｍ以上の長さを有する傾斜辺を、打設コンクリートに凸設又は凹設するとともに、この凸設又は凹設した傾斜辺を隠蔽するように隣接打設コンクリートを構築し、この両コンクリートの接合面に、前記略７０°となる少なくとも５ｃｍ以上の長さを有する傾斜辺に相当する傾斜接合面を形成できる型枠の提供を図る。
またこの傾斜接合面は、略７０°で少なくとも５ｃｍ以上の長さを有するため、飛来した種子の根や芽の成長及び施工前に残存していた根や芽の成長を確実に防止することを意図する。そして、必要により、傾斜接合面の先端形態を、曲面周辺部を備えた迂回形態とし、根の成長及び施工前に残存していた根や芽の成長を確実に防止できる防草等を意図した構造物用の型枠の提供を図る。またこの型枠を利用した防草効果が図れる構造物（構築物、建物、建屋等）の構築を意図する。
そして、また本発明が、最も特徴とすることは、構造物等に経時的に、目地が形成されても、略７０°となる少なくとも５ｃｍ以上の長さを有する傾斜辺に相当する傾斜接合面を形成することで、根や芽の成長を阻害する機能があり、この機能を利用した画期的な防草効果等を意図した型枠の提供と、この画期的な防草効果等が図れる構造物の構築を意図する。
【００１２】
請求項１は、コンクリート構造物を構築する際に使用する型枠であって、
この型枠の長手方向の端面に下向き角度が略７０°となる傾斜辺を凸設又は凹設し、しかもこの端面に下向き角度が略７０°となる傾斜辺の凸設又は凹設の長さを少なくとも５ｃｍ以上に形成し、前記下向き角度が略７０°となる傾斜辺を前記長手方向に連設して設ける構成としたことを特徴とする防草等を意図した構造物用の型枠である。
【００１３】
請求項２の発明は、請求項１の目的を達成し、またこの目的を達成するのに最適な型枠を提供する。
【００１４】
請求項２は、請求項１に記載の端面に下向き角度が略７０°となる傾斜辺を、長手方向において高低又は異形形状にする構成としたことを特徴とする防草等を意図した構造物用の型枠である。
【００１５】
請求項３の発明は、請求項１の目的を達成し、またこの目的を達成するのに最適な他の型枠を提供する。
【００１６】
請求項３は、請求項１に記載の端面に下向き角度が略７０°となる傾斜辺を、型枠本体に取付け、取外し自在に設ける構成としたことを特徴とする防草等を意図した構造物用の型枠である。
【００１７】
請求項４の発明は、長手方向の端面に下向き角度が略７０°となる少なくとも５ｃｍ以上の長さを有する傾斜辺を凸設又は凹設した型枠を利用し、この略７０°となる少なくとも５ｃｍ以上の長さを有する傾斜辺を、打設コンクリートに凸設又は凹設するとともに、この凸設又は凹設した傾斜辺を隠蔽するように隣接して打設コンクリートを構築し、この両コンクリートの接合面に、前記略７０°となる少なくとも５ｃｍ以上の長さを有する傾斜辺に相当する傾斜接合面を形成したコンクリート構造物（構築物、建物、建屋等）の提供を図る。
またこの傾斜接合面は、略７０°で少なくとも５ｃｍ以上の長さを有するため、飛来した種子の根（芽）の成長及び施工前に残存していた根、芽の成長を確実に防止すること、そして、必要により、傾斜接合面の先端形態を、曲面周辺部を備えた迂回形態とし、根の成長及び施工前に残存していた根や芽の成長を確実に防止できる防草効果等を意図した構造物の提供を図る。
そして、また本発明が、最も特徴とすることは、構造物等に経時的に、目地が形成されても、略７０°となる少なくとも５ｃｍ以上の長さを有する傾斜辺に相当する傾斜接合面を形成することで、根や芽の成長を阻害する機能があり、この機能を利用した画期的な防草等を意図した構造物の構築を意図する。
【００１８】
請求項４は、請求項１〜３に記載の防草等を意図した構造物用の型枠利用の構造物であって、
この構造物は、防草等を意図した下向き角度が略７０°となる傾斜辺を利用し、防草凹部又は防草凸部を形成し、この構造物の隣に設けた他の構造物は、前記防草凸部又は防草凹部を形成し、この構造物の防草凹部又は防草凸部と、前記他の構造物の防草凸部又は防草凹部との間に経時的に隙間が発生しても防草効果が維持できる構造とした防草等を意図した構造物用の型枠と、この型枠利用の構造物である。
【００１９】
請求項５の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸び（向地性）成長(繁殖)することを阻害し、防草効果を達成することを意図する。
【００２０】
請求項５は、各種のブロックの長手方向の少なくとも一方端面に下向き角度が略７０°となる傾斜辺を備えた当該ブロックの上面に達する凹部を設け、この凹部は金型の抜き勾配を備えてなり、またこの凹部の先端部及び／又は底部を面取り加工したことを特徴とする防草等を意図したブロックである。
【００２１】
請求項６の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸び（向地性）成長(繁殖)することを略１００％阻害し、防草効果を達成することを意図する。
【００２２】
請求項６は、各種のブロックの長手方向の少なくとも一方端面に下向き角度が略７０°となる傾斜辺を備えた当該ブロックの上面に達する凹部を複数個設け、この各凹部は金型の抜き勾配を備えてなり、またこの各凹部の先端部及び／又は底部を面取り加工したことを特徴とする防草等を意図したブロックである。
【００２３】
請求項７の発明は、請求項６の目的を達成すること、またこの目的を達成するのに最適なブロックを提供すること等を意図する。
【００２４】
請求項７は、請求項６に記載の複数個の凹部を、ブロック上面の一方側及び／又は他方側にそれぞれ設けたことを特徴とする防草等を意図したブロックである。
【００２５】
請求項８の発明は、請求項６の目的を達成すること、またこの目的を達成するのに最適な上面構造のブロックを提供すること等を意図する。
【００２６】
請求項８は、請求項６に記載の複数個の凹部を、ブロック外周端面に繞設するとともに、当該ブロックの上面に達するよう設けたことを特徴とする防草等を意図したブロックである。
【００２７】
請求項９の発明は、請求項６の目的を達成すること、またこの目的を達成するのに最適な先端部を有するブロックを提供すること等を意図する。
【００２８】
請求項９は、請求項６に記載の複数個の凹部の先端部に、防草用の突起を設けることを特徴とする防草等を意図したブロックである。
【発明の効果】
【００２９】
請求項１の発明は、コンクリート構造物を構築する際に使用する型枠であって、
型枠の長手方向の端面に下向き角度が略７０°となる傾斜辺を凸設又は凹設し、しかも端面に下向き角度が略７０°となる傾斜辺の凸設又は凹設の長さを少なくとも５ｃｍ以上に形成し、下向き角度が略７０°となる傾斜辺を長手方向に連設して設ける防草等を意図した構造物用の型枠である。
【００３０】
従って、請求項１は、コンクリート構造物を構築する際に使用する型枠の長手方向の端面に下向き角度が略７０°となる少なくとも５ｃｍ以上の長さを有する傾斜辺を凸設又は凹設し、この型枠を利用し、前記略７０°となる少なくとも５ｃｍ以上の長さを有する傾斜辺を、打設コンクリートに凸設又は凹設できるとともに、この凸設又は凹設した傾斜辺を隠蔽するように隣接打設コンクリートを構築し、この両コンクリートの接合面に、前記略７０°となる少なくとも５ｃｍ以上の長さを有する傾斜辺に相当する傾斜接合面を形成できる型枠を提供できる特徴がある。
またこの傾斜接合面は、略７０°で少なくとも５ｃｍ以上の長さを有するため、飛来した種子の根（芽）の成長及び施工前に残存していた根、芽の成長を確実に防止できる実益がある。そして、必要により、傾斜接合面の先端形態を、曲面周辺部を備えた迂回形態とし、根の成長及び施工前に残存していた根の芽の成長を確実に防止できる防草等を意図した構造物用の型枠を提供できる利点がある。またこの型枠を利用した防草効果が図れる構造物（構築物、建物、建屋等）を構築できる特徴がある。
そして、また本発明が、最も特徴とすることは、構造物等に経時的に、目地が形成されても、略７０°となる少なくとも５ｃｍ以上の長さを有する傾斜辺に相当する傾斜接合面を形成できることで、根や芽の成長を阻害する機能があり、この機能を利用した画期的な防草効果等が図れる型枠を提供できること、また画期的な防草効果等が図れる構造物を構築できる特徴がある。
【００３１】
請求項２の発明は、請求項１に記載の端面に下向き角度が略７０°となる傾斜辺を、長手方向において高低又は異形形状にする防草等を意図した構造物用の型枠である。
【００３２】
従って、請求項２は、請求項１の目的を達成できること、またこの目的を達成するのに最適な型枠を提供できること等の特徴がある。
【００３３】
請求項３の発明は、請求項１に記載の端面に下向き角度が略７０°となる傾斜辺を、型枠本体に取付け、取外し自在に設ける構成とした防草等を意図した構造物用の型枠である。
【００３４】
従って、請求項３は、請求項１の目的を達成できること、またこの目的を達成するのに最適な他の型枠を提供できること等の特徴がある。
【００３５】
請求項４の発明は、請求項１〜３に記載の防草等を意図した構造物用の型枠利用の構造物であって、
構造物は、防草等を意図した下向き角度が略７０°となる傾斜辺を利用し、防草凹部又は防草凸部を形成し、構造物の隣に設けた他の構造物は、防草凸部又は防草凹部を形成し、構造物の防草凹部又は防草凸部と、他の構造物の防草凸部又は構造物の防草凹部との間に経時的に隙間が発生しても防草効果が維持できる防草等を意図した型枠利用の構造物である。
【００３６】
従って、請求項４は、長手方向の端面に下向き角度が略７０°となる少なくとも５ｃｍ以上の長さを有する傾斜辺を凸設又は凹設した型枠を利用し、この略７０°となる少なくとも５ｃｍ以上の長さを有する傾斜辺を、打設コンクリートに凸設又は凹設できるとともに、この凸設又は凹設した傾斜辺を隠蔽するように隣接して打設コンクリートを構築し、この両コンクリートの接合面に、前記略７０°となる少なくとも５ｃｍ以上の長さを有する傾斜辺に相当する傾斜接合面を形成できるコンクリート構造物（構築物、建物、建屋等）を提供できる特徴がある。
またこの傾斜接合面は、略７０°で少なくとも５ｃｍ以上の長さを有するため、飛来した種子の根（芽）の成長及び施工前に残存していた根の芽の成長を確実に防止できること、そして、必要により、傾斜接合面の先端形態を、曲面周辺部を備えた迂回形態とし、根の成長及び施工前に残存していた根の芽の成長を確実に防止できる防草効果等を意図した構造物を提供できること等の利点がある。
そして、また本発明が、最も特徴とすることは、構造物等に経時的に、目地が形成されても、略７０°となる少なくとも５ｃｍ以上の長さを有する傾斜辺に相当する傾斜接合面を形成することで、根の屈地性及び芽の屈光性に基づく成長を阻害する機能があり、この機能を利用した画期的な防草等を意図した構造物が構築できる特徴がある。
【００３７】
請求項５の発明は、各種のブロックの長手方向の少なくとも一方端面に下向き角度が略７０°となる傾斜辺を備えたブロックの上面に達する凹部を設け、凹部は金型の抜き勾配を備えてなり、また凹部の先端部及び／又は底部を面取り加工した防草等を意図したブロックである。
【００３８】
従って、請求項５の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸びる（向地性）成長(繁殖)を阻害でき、防草効果を達成できる特徴がある。
【００３９】
請求項６の発明は、各種のブロックの長手方向の少なくとも一方端面に下向き角度が略７０°となる傾斜辺を備えたブロックの上面に達する凹部を複数個設け、各凹部は金型の抜き勾配を備えてなり、また各凹部の先端部及び／又は底部を面取り加工した防草等を意図したブロックである。
【００４０】
従って、請求項６の発明は、経年変化により、ブロックと舗装材との境目に垂直方向の隙間が発生し、この隙間に飛来した雑草の種子が雨水を糧として発芽しても、光合成により成長する性質、即ち、芽が屈光性により隙間を通じて上方へ延び（背地性）、根が屈地性により逆に下方へ伸びる（向地性）成長(繁殖)を略１００％阻害でき、防草効果を達成できる特徴がある。
【００４１】
請求項７の発明は、請求項６に記載の複数個の凹部を、ブロック上面の一方側及び／又は他方側にそれぞれ設けた防草等を意図したブロックである。
【００４２】
従って、請求項７は、請求項６の目的を達成できること、またこの目的を達成するのに最適なブロックを提供できること等の特徴がある。
【００４３】
請求項８の発明は、請求項６に記載の複数個の凹部を、ブロック外周端面に繞設するとともに、ブロックの上面に達するよう設けた防草等を意図したブロックである。
【００４４】
従って、請求項８は、請求項６の目的を達成できること、またこの目的を達成するのに最適な上面構造のブロックを提供できること等の特徴がある。
【００４５】
請求項９の発明は、請求項６に記載の複数個の凹部の先端部に、防草用の突起を設ける防草等を意図したブロックである。
【００４６】
従って、請求項９は、請求項６の目的を達成できること、またこの目的を達成するのに最適な先端部を有するブロックを提供できること等の特徴がある。
【発明を実施するための最良の形態】
【００４７】
図１−１〜図１−４は好ましい第一の型枠と、この型枠を使用したコンクリート構造物と、その経年変化を示したものであり、図１−１が第一の型枠の斜視図で、図１−２が第一の型枠を利用して一方側にコンクリートを打設した断面図、図１−３が第一の型枠を利用して一方側及び／又は他方側にコンクリートを打設したコンクリート構造物の断面図、図１−４は図１−３のコンクリート構造物が経時的に（経年を経て）変化した状態の断面図である。
【００４８】
図２−１〜図２−４は好ましい第二の型枠と、この型枠を使用したコンクリート構造物と、その経年変化を示したものであり、図２−１が第一の型枠の斜視図で、図２−２が第二の型枠を利用して一方側にコンクリートを打設した断面図、図２−３が第二の型枠を利用して一方側及び／又は他方側にコンクリートを打設したコンクリート構造物の断面図、図２−４は図２−３のコンクリート構造物が経時的に（経年を経て）変化した状態の断面図である。
【００４９】
図３−１〜図３−４は好ましい第三の型枠と、この型枠を使用したコンクリート構造物と、その経年変化を示したものであり、図３−１が第三の型枠の斜視図で、図３−２が第三の型枠を利用して一方側にコンクリートを打設した断面図、図３−３が第三の型枠を利用して一方側及び／又は他方側にコンクリートを打設したコンクリート構造物の断面図、図３−４は図３−３のコンクリート構造物が経時的に（経年を経て）変化した状態の断面図である。
【００５０】
図４−１〜図４−４は好ましい第四の型枠と、この型枠を使用したコンクリート構造物と、その経年変化を示したものであり、図４−１が第四の型枠の斜視図で、図４−２が第四の型枠を利用して一方側にコンクリートを打設した断面図、図４−３が第四の型枠を利用して一方側及び／又は他方側にコンクリートを打設したコンクリート構造物の断面図、図４−４は図４−３のコンクリート構造物が経時的に（経年を経て）変化した状態の断面図である。
【００５１】
図５−１〜図５−４は好ましい第五の型枠と、この型枠を使用したコンクリート構造物と、その経年変化を示したものであり、図５−１が第五の型枠の斜視図で、図５−２が第五の型枠を利用して一方側にコンクリートを打設した断面図、図５−３が第五の型枠を利用して一方側及び／又は他方側にコンクリートを打設したコンクリート構造物の断面図、図５−４は図５−３のコンクリート構造物が経時的に（経年を経て）変化した状態の断面図である。
【００５２】
図６〜図９はそれぞれ好ましい第六の型枠〜第九の型枠の一部を示した側面図である。
【００５３】
図１０〜図１６は前記第一の型枠〜第五の型枠を型枠の一部として利用して成形した境界ブロック又は歩道ブロック等のブロックの各例を示しているが、何れも側面（端面）に傾斜辺を設けた防草用ブロックを構築した状態の側面図である。
【００５４】
図１７−１〜図１７−４は従来の型枠と、この型枠を使用したコンクリート構造物と、その経年変化を示したものであり、図１７−１が従来の型枠の斜視図で、図１７−２が従来の型枠を利用して一方側にコンクリートを打設した断面図、図１７−３が従来の型枠を利用して一方側及び／又は他方側にコンクリートを打設したコンクリート構造物の断面図、図１７−４は図１７−３のコンクリート構造物が経時的に変化(経年変化)した状態の断面図である。
【００５５】
図１８−１は第一のブロックの側面図、図１８−２は第一のブロックの施工状態を示した断面図、図１９−１は第二のブロックの側面図、図１９−２は第二のブロックの施工状態を示した断面図、図２０−１は第三のブロックの側面図、図２０−２は第三のブロックの施工状態を示した断面図、図２１は第四のブロックの側面図、図２２は第五のブロックの側面図、図２３−１は第六のブロックの斜視図、図２３−２は第七のブロックの斜視図を示す。
【００５６】
図２４−１〜図２４−６は第八〜第十三のブロックの側面図をそれぞれ示したものであり、複数個の凹部を形成する際の好ましい各一例を示す。
【００５７】
図２５−１と図２５−２はブロックと防草シールとの組合せ構造の好ましい一例であり、図２５−１は第十四のブロックの側面図を示し、図２５−２は第十四のブロックを切り欠いた第十五のブロックの側面図を示す。
【００５８】
尚、図２６はブロックの外周端面に凹部を繞設した第十六のブロックを示した斜視図である。
【００５９】
図１−１〜図１−４に示した第一の型枠１−１を説明すると、木材、樹脂、鋼材等の板材で構成する縦一文字形式の型枠本体２−１と、この型枠本体２−１の何れかの端面（場合により両端面）より凸設した下向き角度が略７０°となる少なくとも５ｃｍ以上の長さを有する傾斜辺３−１とで構成する。この傾斜辺３−１は取付具４を利用して固止又は取外し得る構造である。この第一の型枠１−１を利用して一方側のコンクリート構造物Ａ−１を構築する。図中Ｃ−１はぐり石を示す。この一方側のコンクリート構造物Ａ−１を構築した後、第一の型枠１−１を取外し、続いて他方側のコンクリート構造物Ｂ−１を構築すると、この一方側のコンクリート構造物Ａ−１と他方側のコンクリート構造物Ｂ−１との接合面Ｘ−１に下向き角度が略７０°となる少なくとも５ｃｍ以上の長さを有する傾斜接合面Ｄ−１（略Ｕ字型接合部となる）が形成される。この傾斜接合面Ｄ−１は接合面Ｘ−１の長手方向Ｘ’−１に形成され、図１−３に於いて、手前と奥面方向を云う。またこの傾斜接合面Ｄ−１は、接合面Ｘ−１の端面Ｘ"−１（長手方向と直交する方向）に一条又は数条設けることも可能であり、また端面Ｘ"−１に設ける下向き角度が略７０°となる少なくとも５ｃｍ以上の長さを有する傾斜接合面Ｄ−１（型枠本体２−１に設ける下向き角度が略７０°となる少なくとも５ｃｍ以上の長さを有する傾斜辺３−１）の位置及び／又は部位は自由であるが、略中心部が強度面又は防草等において有効性がある。そして、このコンクリート構造物Ａ−１、Ｂ−１（両者とする）が経時的に（経年を経て）変化し、この両者間に隙間５（目地空間）が形成された状態においても、前記下向き角度が略７０°となる少なくとも５ｃｍ以上の長さを有する傾斜接合面Ｄ−１による強度面又は防草等において有効性は確保されている。
【００６０】
前述の経年変化は、同じコンクリート同志でも施工時期が異なれば伸縮率が違い、当然、隙間５の発生する時期が早くなり問題である。また異物コンクリート同志の場合には、特に隙間５の発生する時期が早くなり問題である。従って、隙間５が発生しても、植物Ｈの生育を防止（防草）できる構造物と、この構造物を構築する第一の型枠１−１が要望される（各例の型枠も同じ）。即ち、この隙間５が本発明の下向き角度が略７０°となる少なくとも５ｃｍ以上の長さを有する傾斜接合面Ｄ−１を備えていれば、植物Ｈの生長を自然に止め得る（防草効果がある）。また下向き角度が略７０°となる少なくとも５ｃｍ以上の長さを有する傾斜接合面Ｄ−１の長手方向（適所及び／又は指定箇所）に凹凸、突起等の防草手段を設けることも有り得る（他の型枠等も同じ）。
【００６１】
図２−１〜図２−４に示した第二の型枠１−２を説明すると、木材、樹脂、鋼材等の板材で構成する上辺２−２ａと下辺２−２ｂとで形成した型枠本体２−２と、この型枠本体２−２の何れかの端面（場合により両端面）で、前記上辺２−２ａと下辺２−２ｂとの間を連結するとともに、この上辺２−２ａと下辺２−２ｂとの位置関係（端面方向における。矢印で示す）を替える下向き角度が略７０°となる少なくとも５ｃｍ以上の長さを有する傾斜辺３−２とで構成する。この第二の型枠１−２を利用して一方側のコンクリート構造物Ａ−１を構築する。図中Ｃ−１はぐり石を示す。この一方側のコンクリート構造物Ａ−１を構築した後、第二の型枠１−２を取外し、続いて他方側のコンクリート構造物Ｂ−１を構築すると、この一方側のコンクリート構造物Ａ−１と他方側のコンクリート構造物Ｂ−１との接合面Ｘ−１に下向き角度が略７０°となる５ｃｍ以上の長さを有する傾斜接合面Ｄ−１（略一文字型接合部となる）が形成される。この傾斜接合面Ｄ−１は接合面Ｘ−１の長手方向Ｘ’−１に形成され、図２−３に於いて、手前と奥面方向を云う。またこの傾斜接合面Ｄ−１は、接合面Ｘ−１の端面Ｘ"−１（長手方向と直交する方向）に一条又は数条設けることも可能であり、また端面Ｘ"−１に設ける下向き角度が略７０°となる少なくとも５ｃｍ以上の長さを有する傾斜接合面Ｄ−１（型枠本体２−２に設ける下向き角度が略７０°となる少なくとも５ｃｍ以上の長さを有する傾斜辺３−２）の位置及び／又は部位は自由であるが、略中心部が強度面又は防草等において有効性がある。そして、このコンクリート構造物Ａ−１、Ｂ−１（両者とする）が経時的に（経年を経て）変化し、この両者間に隙間５が形成された状態においても、前記下向き角度が略７０°となる少なくとも５ｃｍ以上の長さを有する傾斜接合面Ｄ−１による強度面又は防草等において有効性は確保されている。この例（他の各例も同じ）では、下辺２−２ｂと傾斜辺３−２との関係で防草が図れること、また上辺２−２ａと傾斜辺３−２との関係でも防草が図れること等の特徴がある。また位置関係及び／又は傾斜辺３−２による連結構成とにより、両者間に発生する隙間５の減少が図れること、又は両者間の緊結の強化が図れること等の特徴がある。
【００６２】
前述の経年変化は、同じコンクリート同志でも施工時期が異なれば伸縮率が違い、当然、隙間５の発生する時期が早くなり問題である。また異物コンクリート同志の場合には、特に隙間５の発生する時期が早くなり問題である。従って、隙間５が発生しても、植物Ｈの生育を防止（防草）できる構造物と、この構造物を構築する第二の型枠１−２が要望される（各例の型枠も同じ）。即ち、この隙間５が本発明の下向き角度が略７０°となる少なくとも５ｃｍ以上の長さを有する傾斜接合面Ｄ−１を備えていれば、植物Ｈの生長を自然に止め得る（各例の型枠も同じ）。そして、この第二の型枠１−２では、一方側のコンクリート構造物Ａ−１を成形後に、この第二の型枠１−２を細工することなく取外しできる特徴がある。
【００６３】
図３−１〜図３−４に示した第三の型枠１−３を説明すると、木材、樹脂、鋼材等の板材で構成する上辺２−３ａと下辺２−３ｂとで形成した型枠本体２−３と、この型枠本体２−３の何れかの端面（場合により両端面）で、前記上辺２−３ａと下辺２−３ｂとの間を連結するとともに、この上辺２−３ａと下辺２−３ｂとの位置関係（端面方向における。矢印で示す垂直の下辺２−３ｂと傾斜角度を有する上辺２−３ａ）を替える下向き角度が略７０°となる少なくとも５ｃｍ以上の長さを有する傾斜辺３−３とで構成する。この第三の型枠１−３を利用して一方側のコンクリート構造物Ａ−１を構築する。この一方側のコンクリート構造物Ａ−１を構築した後、第三の型枠１−３を取外し、続いて他方側のコンクリート構造物Ｂ−１を構築すると、この一方側のコンクリート構造物Ａ−１と他方側のコンクリート構造物Ｂ−１との接合面Ｘ−１に下向き角度が略７０°となる５ｃｍ以上の長さを有する傾斜接合面Ｄ−１（略一文字型接合部となる）が形成される。この傾斜接合面Ｄ−１は接合面Ｘ−１の長手方向Ｘ’−１、図３−３に於いて、手前と奥面方向を云う。またこの傾斜接合面Ｄ−１は、接合面Ｘ−１の端面Ｘ"−１（長手方向と直交する方向）に一条又は数条設けることも可能であり、また端面Ｘ"−１に設ける下向き角度が略７０°となる少なくとも５ｃｍ以上の長さを有する傾斜接合面Ｄ−１（型枠本体２−３に設ける下向き角度が略７０°となる少なくとも５ｃｍ以上の長さを有する傾斜辺３−３）の位置及び／又は部位は自由であるが、略中心部が強度面又は防草等において有効性がある。そして、このコンクリート構造物Ａ−１、Ｂ−１（両者とする）が経時的に（経年を経て）変化し、この両者間に隙間５が形成された状態においても、前記下向き角度が略７０°となる少なくとも５ｃｍ以上の長さを有する傾斜接合面Ｄ−１による強度面又は防草等において有効性は確保されている。この例（他の各例も同じ）では、下辺２−３ｂと傾斜辺３−３との関係で防草が図れること、また傾斜した上辺２−３ａと傾斜辺３−３との関係でも防草が図れること等の特徴があり。また両者間に発生する隙間５の減少が図れること、又は両者間の緊結の強化が図れること等の特徴がある。
その他は第二の型枠１−２に準ずる。
【００６４】
図４−１〜図４−４に示した第四の型枠１−４を説明すると、木材、樹脂、鋼材等の板材で構成する上辺２−４ａと下辺２−４ｂとで形成した型枠本体２−４と、この型枠本体２−４の何れかの端面（場合により両端面）で、前記上辺２−４ａと下辺２−４ｂとの間を連結するとともに、この上辺２−４ａと下辺２−４ｂとの位置関係（端面方向における。矢印で示す垂直の下辺２−４ｂと傾斜角度を有する上辺２−４ａ）を替える下向き角度が略７０°となる少なくとも５ｃｍ以上の長さを有する傾斜辺３−４とで構成する。この第四の型枠１−４を利用して一方側のコンクリート構造物Ａ−１を構築する。この一方側のコンクリート構造物Ａ−１を構築した後、第四の型枠１−４を取外し、続いて他方側のコンクリート構造物Ｂ−１を構築すると、この一方側のコンクリート構造物Ａ−１と他方側のコンクリート構造物Ｂ−１との接合面Ｘ−１に下向き角度が略７０°となる５ｃｍ以上の長さを有する傾斜接合面Ｄ−１（略一文字型接合部となる）が形成される。この傾斜接合面Ｄ−１は接合面Ｘ−１の長手方向Ｘ’−１、図４−３に於いて、手前と奥面方向を云う。またこの傾斜接合面Ｄ−１は、接合面Ｘ−１の端面Ｘ"−１（長手方向と直交する方向）に一条又は数条設けることも可能であり、また端面Ｘ"−１に設ける下向き角度が略７０°となる少なくとも５ｃｍ以上の長さを有する傾斜接合面Ｄ−１（型枠本体２−４に設ける下向き角度が略７０°となる少なくとも５ｃｍ以上の長さを有する傾斜辺３−４）の位置及び／又は部位は自由であるが、略中心部が強度面又は防草等において有効性がある。そして、このコンクリート構造物Ａ−１、Ｂ−１（両者とする）が経時的に（経年を経て）変化し、この両者間に隙間５が形成された状態においても、前記下向き角度が略７０°となる少なくとも５ｃｍ以上の長さを有する傾斜接合面Ｄ−１による強度面又は防草等において有効性は確保されている。この例（他の各例も同じ）では、下辺２−４ｂと傾斜辺３−４との関係で防草が図れること、また傾斜した上辺２−４ａと傾斜辺３−４との関係でも防草が図れること等の特徴があり。また両者間に発生する隙間５の減少が図れること、又は両者間の緊結の強化が図れること等の特徴がある。
その他は第二の型枠１−２に準ずる。
【００６５】
図５−１〜図５−４に示した第五の型枠１−５を説明すると、木材、樹脂、鋼材等の板材で構成する上辺２−５ａと下辺２−５ｂとで形成した型枠本体２−５と、この型枠本体２−５の何れかの端面（場合により両端面）で、前記上辺２−５ａと下辺２−５ｂとの間を連結するとともに、この上辺２−５ａと下辺２−５ｂとの位置関係（端面方向における。矢印で示す垂直の下辺２−５ｂと傾斜角度を有する上辺２−５ａ）を替える下向き角度が略７０°となる少なくとも５ｃｍ以上の長さを有する傾斜辺３−５とで構成する。この第五の型枠１−５を利用して一方側のコンクリート構造物Ａ−１を構築する。この一方側のコンクリート構造物Ａ−１を構築した後、第五の型枠１−５を取外し、続いて他方側のコンクリート構造物Ｂ−１を構築すると、この一方側のコンクリート構造物Ａ−１と他方側のコンクリート構造物Ｂ−１との接合面Ｘ−１に下向き角度が略７０°となる５ｃｍ以上の長さを有する傾斜接合面Ｄ−１（略一文字型接合部となる）が形成される。この傾斜接合面Ｄ−１は接合面Ｘ−１の長手方向Ｘ’−１、図５−３に於いて、手前と奥面方向を云う。またこの傾斜接合面Ｄ−１は、接合面Ｘ−１の端面Ｘ"−１（長手方向と直交する方向）に一条又は数条設けることも可能であり、また端面Ｘ"−１に設ける下向き角度が略７０°となる少なくとも５ｃｍ以上の長さを有する傾斜接合面Ｄ−１（型枠本体２に設ける下向き角度が略７０°となる少なくとも５ｃｍ以上の長さを有する傾斜辺３−３）の位置及び／又は部位は自由であるが、略中心部が強度面又は防草等において有効性がある。そして、このコンクリート構造物Ａ−１、Ｂ−１（両者とする）が経時的に（経年を経て）変化し、この両者間に隙間５が形成された状態においても、前記下向き角度が略７０°となる少なくとも５ｃｍ以上の長さを有する傾斜接合面Ｄ−１による強度面又は防草等において有効性は確保されている。この例（他の各例も同じ）では、傾斜した下辺２−５ｂと傾斜辺３−５との関係で防草が図れること、また傾斜した上辺２−５ａと傾斜辺３−５との関係でも防草が図れること等の特徴があり。また両者間に発生する隙間５の減少が図れること、又は両者間の緊結の強化が図れること等の特徴がある。
その他は第二の型枠１−２に準ずる。
【００６６】
図６〜図９に示した第六の型枠１−６〜第九の型枠１−９であり、この第六の型枠１−６〜第九の型枠１−９は傾斜辺３−１〜３−５の例を長手方向Ｘ’−１において形状を変更し、防草の状況に対応すること、又は地形等の条件に対応した防草を図ることを意図するものであり、それぞれの形状があり、何れの形状でも防草効果が可能である。
【００６７】
図１０〜図１６は前記第一の型枠１−１〜第五の型枠１−５を型枠の一部として利用して成形した境界ブロック又は歩道ブロック等のブロックＥの各例を示しているが、何れも側面Ｅ−１（端面）に傾斜辺３−１〜３−５又は傾斜接合面Ｄ−１を設けた防草用ブロックであり、何れの構成でも防草効果が可能である。
【００６８】
また図１７−１〜図１７−４は従来の型枠と、この型枠を使用したコンクリート構造物と、その経年変化を示したものであり、図１７−１が従来の型枠の斜視図で、図１７−２が従来の型枠を利用して一方側にコンクリートを打設した断面図、図１７−３が従来の型枠を利用して一方側及び／又は他方側にコンクリートを打設したコンクリート構造物の断面図、図１７−４は図１７−３のコンクリート構造物が経時的に変化(経年変化)した状態の断面図であり、この一方側及び／又は他方側のコンクリート構造物Ａ−１、Ｂ−１の垂直方向の隙間５より、雑草等の植物Ｈの生育が確認できる。即ち、経年変化により、この垂直方向に隙間５が発生し、隙間５に飛来した雑草の種子が雨水等により流れて発芽すると、光合成により成長する性質から、芽が屈光性により隙間５を通じて上方へ延び（背地性があり）、根は屈地性により逆に下方へ伸びて（向地性で）成長し、繁殖する。従って、防草効果は期待できない。
【００６９】
図１８−１〜図２３−２に示した第一のブロックＥ〜第七のブロックＥについて説明する。：  図１８−１は第一のブロックＥの側面図であり、この第一のブロックＥの長手方向Ｘ’−１（図１８−２参照）の一方の端面Ｅ−１・他方の端面Ｅ−１に下向き角度が略７０°となる傾斜辺３−６・傾斜辺３−６を備えたブロックＥの上面Ｅ−２・下面Ｅ−３に達する凹部６・凹部６を対峙関係に設け、この凹部６・凹部６は金型（図示せず）の抜き勾配Ｆ・抜き勾配Ｆを備えてなり、また凹部６・凹部６の先端部６−１・先端部６−１及び／又は底部６−２・底部６−２に面取り加工７・面取り加工７を形成する。そして、図１８−２は第一のブロックＥの施工状態を示しており、凹部６・凹部６の先端部６−１・先端部６−１の位置までぐり石Ｃ−１・ぐり石Ｃ−１を埋設し、その上に一方側のコンクリート構造物Ａ−１及び／又は他方側のコンクリート構造物Ｂ−１を敷設する。その他の構造は、前述の各例に準ずる。：  図１９−１は第二のブロックＥの側面図であり、この第二のブロックＥの長手方向Ｘ’−１（図１９−２参照）の少なくとも一方の端面Ｅ−１に下向き角度が略７０°となる傾斜辺３−６を備えたブロックＥの上面Ｅ−２に達する凹部６を設け、この凹部６は金型（図示せず）の抜き勾配Ｆを備えてなり、また凹部６の先端部６−１及び／又は底部６−２に面取り加工７を形成する。そして、図１９−２は第二のブロックＥの施工状態を示しており、凹部６の先端部６−１の位置までぐり石Ｃ−１を埋設し、その上に一方側のコンクリート構造物Ａ−１及び／又は他方側のコンクリート構造物Ｂ−１を敷設する。その他の構造は、前述の各例に準ずる。：  図２０−１、図２０−２に示した第三のブロックＥと、図２１に示した第四のブロックＥ、図２２に示した第五のブロックＥ、並びに図２３−１に示した第六のブロックＥ、図２３−２に示した第七のブロックＥは、前述の図１９−１、図１９−２に示した第二のブロックＥに準ずる。但し、下記の点で相違するので説明する。：  図２２では下向き角度が略７０°となる傾斜辺３−６を備えたブロックＥの上面Ｅ−２に達する凹部６が略楕円形を呈する。この略楕円形の凹部６であっても、下向き角度が略７０°を備えておれば、防草効果は期待できる。また図２３−１、図２３−２は第六のブロックＥ、第七のブロックＥの長手方向Ｘ’−１に一個又は数個の突条８を設け、この下向き角度が略７０°となる突条傾斜辺（凹条傾斜辺）８−１を利用し、この長手方向Ｘ’−１における防草を図る。そして、図２３−１の第六のブロックＥの如く、長手方向Ｘ’−１の端部では、この第六のブロックＥの繋目での防草に役立つ特徴がある。
【００７０】
図２４−１〜図２４−６に示した第八のブロックＥ〜第十三のブロックＥは前述の図１９−１、図１９−２に示した第二のブロックＥに準ずる。但し、下記の点で相違するので説明する。：  図２４−１はブロックＥの上面Ｅ−２に達する凹部６を複数個（二山）設ける構成である。図２４−２はブロックＥの上面Ｅ−２に達する凹部６を複数個（一山）設ける構成である。図２４−３は図１９−１、図１９−２に示した第二のブロックＥを採用し、更にブロックＥの上面Ｅ−２に達する凹部６を複数個（一山）設ける構成である。図２４−４はブロックＥの上面Ｅ−２に達する凹部６を複数個（一山）上面Ｅ−２へと上昇するよう設ける構成である。図２４−５はブロックＥの上面Ｅ−２に達する凹部６をブロック上面Ｅ−２の一方側及び他方側にそれぞれ設ける構成である。図２４−６はブロックＥの上面Ｅ−２に達する凹部６をブロック上面Ｅ−２の一方側及び他方側に複数個（一山）設ける構成である。
【００７１】
図２５−１〜図２６に示した第十四のブロックＥ〜第十六のブロックＥについて説明する。：  図２５−１と図２５−２はブロックＥと防草シール９との組合せ構造の好ましい一例であり、ブロックＥの特徴については、図２４−１〜図２４−６に示した第八のブロックＥ〜第十三のブロックＥに準ずる。図２５−１は第十四のブロックＥの側面図であり、ブロックＥの上面Ｅ−２に達する凹部６の先端部６−１に、防草シール９を貼り付ける構成である。図２５−２は第十四のブロックを切り欠いた第十五のブロックＥの側面図であり、ブロックＥの上面Ｅ−２に達する凹部６の先端部６−１に窪み１０を設け、この窪み１０に防草シール９を嵌め込む構成である。この第十四のブロックＥ及び第十五のブロックＥでは、経年変化によりブロックＥに生じた隙間５を防草シール９によって塞ぐことができ、防草シール９と下向き角度略７０°との相乗効果で確実な防草が図れる。尚、この防草シール９の幅、長さ等は適宜変更可能である。：  図２６はブロックＥの外周端面に凹部６を繞設した第十六のブロックＥの斜視図であり、ブロックＥの上面Ｅ−２に達する凹部６を、ブロック外周端面に繞設する構成である。
【図面の簡単な説明】
【００７２】
【図１−１】図１−１は第一の型枠の斜視図
【図１−２】図１−２は第一の型枠を利用して一方側にコンクリートを打設した断面図
【図１−３】図１−３は第一の型枠を利用して一方側及び／又は他方側にコンクリートを打設したコンクリート構造物の断面図
【図１−４】図１−４は図１−３のコンクリート構造物が経時的に（経年を経て）変化した状態の断面図
【図２−１】図２−１は第二の型枠の斜視図
【図２−２】図２−２は第二の型枠を利用して一方側にコンクリートを打設した断面図
【図２−３】図２−３は第二の型枠を利用して一方側及び／又は他方側にコンクリートを打設したコンクリート構造物の断面図
【図２−４】図２−４は図２−３のコンクリート構造物が経時的に（経年を経て）変化した状態の断面図
【図３−１】図３−１は第三の型枠の斜視図
【図３−２】図３−２は第三の型枠を利用して一方側にコンクリートを打設した断面図
【図３−３】図３−３は第三の型枠を利用して一方側及び／又は他方側にコンクリートを打設したコンクリート構造物の断面図
【図３−４】図３−４は図３−３のコンクリート構造物が経時的に（経年を経て）変化した状態の断面図
【図４−１】図４−１は第四の型枠の斜視図
【図４−２】図４−２は第四の型枠を利用して一方側にコンクリートを打設した断面図
【図４−３】図４−３は第四の型枠を利用して一方側及び／又は他方側にコンクリートを打設したコンクリート構造物の断面図
【図４−４】図４−４は図４−３のコンクリート構造物が経時的に（経年を経て）変化した状態の断面図
【図５−１】図５−１は第五の型枠の斜視図
【図５−２】図５−２は第五の型枠を利用して一方側にコンクリートを打設した断面図
【図５−３】図５−３は第五の型枠を利用して一方側及び／又は他方側にコンクリートを打設したコンクリート構造物の断面図
【図５−４】図５−４は図５−３のコンクリート構造物が経時的に（経年を経て）変化した状態の断面図
【図６】図６は第六の型枠の一部を示した側面図
【図７】図７は第七の型枠の一部を示した側面図
【図８】図８は第八の型枠の一部を示した側面図
【図９】図９は第九の型枠の一部を示した側面図
【図１０】図１０は第一の型枠〜第五の型枠等を利用して構築（成形）したブロックの側面図
【図１１】図１１は第一の型枠〜第五の型枠等を利用して構築（成形）したブロックの側面図
【図１２】図１２は第一の型枠〜第五の型枠等を利用して構築（成形）したブロックの側面図
【図１３】図１３は第一の型枠〜第五の型枠等を利用して構築（成形）したブロックの側面図
【図１４】図１４は第一の型枠〜第五の型枠等を利用して構築（成形）したブロックの側面図
【図１５】図１５は第一の型枠〜第五の型枠等を利用して構築（成形）したブロックの側面図
【図１６】図１６は第一の型枠〜第五の型枠等を利用して構築（成形）したブロックの側面図
【図１７−１】図１７−１は従来の型枠の斜視図
【図１７−２】図１７−２は従来の型枠を利用して一方側にコンクリートを打設した断面図
【図１７−３】図１７−３は従来の型枠を利用して一方側及び／又は他方側にコンクリートを打設したコンクリート構造物の断面図
【図１７−４】図１７−４は図１７−３のコンクリート構造物が経時的に（経年を経て）変化した状態の断面図
【図１８−１】図１８−１は第一のブロックの側面図
【図１８−２】図１８−２は第一のブロックの施工状態を示した断面図
【図１９−１】図１９−１は第二のブロックの側面図
【図１９−２】図１９−２は第二のブロックの施工状態を示した断面図
【図２０−１】図２０−１は第三のブロックの側面図
【図２０−２】図２０−２は第三のブロックの施工状態を示した断面図
【図２１】図２１は第四のブロックの側面図
【図２２】図２２は第五のブロックの側面図
【図２３−１】図２３−１は第六のブロックの斜視図
【図２３−２】図２３−２は第七のブロックの斜視図
【図２４−１】図２４−１は第八のブロックの側面図
【図２４−２】図２４−２は第九のブロックの側面図
【図２４−３】図２４−３は第十のブロックの側面図
【図２４−４】図２４−４は第十一のブロックの側面図
【図２４−５】図２４−５は第十二のブロックの側面図
【図２４−６】図２４−６は第十三のブロックの側面図
【図２５−１】図２５−１は第十四のブロックの側面図
【図２５−２】図２５−２は第十四のブロックを切り欠いた第十五のブロックの側面図
【図２６】図２６はブロックの外周端面に凹部を繞設した第十六のブロックを示した斜視図
【符号の説明】
【００７３】
１−１〜１−９            第一の型枠〜第九の型枠
２−１〜２−５            型枠本体
２−２ａ〜２−５ａ        上辺
２−２ｂ〜２−５ｂ        下辺
３−１〜３−６            傾斜辺
４                        取付具
５                        隙間
６                        凹部
６−１                    先端部
６−２                    底部
７                        面取り加工
８                        突条
８−１                    突条傾斜辺（凹条傾斜辺）
９                        防草シール
１０                      窪み
Ａ−１                    一方側のコンクリート構造物
Ｂ−１                    他方側のコンクリート構造物
Ｃ−１                    ぐり石
Ｄ−１                    傾斜接合面
Ｅ                        ブロック
Ｅ−１                    端面
Ｅ−２                    上面
Ｅ−３                    下面
Ｆ                        抜き勾配
Ｘ−１                    接合面
Ｘ’−１                  長手方向
Ｘ”−１                  端面
Ｈ                        植物
【図１−１】
2006052626.tif 000003
【図１−２】
2006052626.tif 000004
【図１−３】
2006052626.tif 000005
【図１−４】
2006052626.tif 000006
【図２−１】
2006052626.tif 000007
【図２−２】
2006052626.tif 000008
【図２−３】
2006052626.tif 000009
【図２−４】
2006052626.tif 000010
【図３−１】
2006052626.tif 000011
【図３−２】
2006052626.tif 000012
【図３−３】
2006052626.tif 000013
【図３−４】
2006052626.tif 000014
【図４−１】
2006052626.tif 000015
【図４−２】
2006052626.tif 000016
【図４−３】
2006052626.tif 000017
【図４−４】
2006052626.tif 000018
【図５−１】
2006052626.tif 000019
【図５−２】
2006052626.tif 000020
【図５−３】
2006052626.tif 000021
【図５−４】
2006052626.tif 000022
【図６】
2006052626.tif 000023
【図７】
2006052626.tif 000024
【図８】
2006052626.tif 000025
【図９】
2006052626.tif 000026
【図１０】
2006052626.tif 000027
【図１１】
2006052626.tif 000028
【図１２】
2006052626.tif 000029
【図１３】
2006052626.tif 000030
【図１４】
2006052626.tif 000031
【図１５】
2006052626.tif 000032
【図１６】
2006052626.tif 000033
【図１７−１】
2006052626.tif 000034
【図１７−２】
2006052626.tif 000035
【図１７−３】
2006052626.tif 000036
【図１７−４】
2006052626.tif 000037
【図１８−１】
2006052626.tif 000038
【図１８−２】
2006052626.tif 000039
【図１９−１】
2006052626.tif 000040
【図１９−２】
2006052626.tif 000041
【図２０−１】
2006052626.tif 000042
【図２０−２】
2006052626.tif 000043
【図２１】
2006052626.tif 000044
【図２２】
2006052626.tif 000045
【図２３−１】
2006052626.tif 000046
【図２３−２】
2006052626.tif 000047
【図２４−１】
2006052626.tif 000048
【図２４−２】
2006052626.tif 000049
【図２４−３】
2006052626.tif 000050
【図２４−４】
2006052626.tif 000051
【図２４−５】
2006052626.tif 000052
【図２４−６】
2006052626.tif 000053
【図２５−１】
2006052626.tif 000054
【図２５−２】
2006052626.tif 000055
【図２６】
2006052626.tif 000056